(57)【要約】【課題】グリル庫内に上バーナと下バーナとを備えて自動調理が可能なグリルにおいて、上バーナに高ターンダウン比のバーナを使用することなく、上バーナの火力を抑えることができるグリルを備えた加熱調理器を提供する。【解決手段】グリル庫と、グリル庫内に設けられ被加熱物６が載置される焼き網２３と、グリル庫内の焼き網２３よりも上方に配設される上バーナ２１と、グリル庫内の焼き網２３よりも下方に設けられる下バーナ２２と、上バーナ２１及び下バーナ２２の燃焼状態を制御して自動調理を実行する制御部４と、を有するグリル２を備えた加熱調理器である。制御部４は、自動調理の全工程の一部に上バーナ２１を停止させて下バーナ２２のみを燃焼させる工程を設けた自動調理メニューを実行可能とした。【選択図】        図６
2010022425.tif 000002
【特許請求の範囲】
【請求項１】
グリル庫と、グリル庫内に設けられ被加熱物が載置される焼き網と、グリル庫内の焼き網よりも上方の位置に配設される上バーナと、グリル庫内の焼き網よりも下方の位置に設けられる下バーナと、上バーナ及び下バーナの燃焼状態を制御して自動調理を実行する制御部と、を有するグリルを備えた加熱調理器であって、制御部は、自動調理の全工程の一部に上バーナを停止させて下バーナのみを燃焼させる工程を設けた自動調理メニューを実行可能として成ることを特徴とするグリルを備えた加熱調理器。
【請求項２】
上バーナ及び下バーナの両方を燃焼させる工程の後に、上バーナを停止させて下バーナのみを燃焼させる工程を設けた自動調理メニューとして成ることを特徴とする請求項１記載のグリルを備えた加熱調理器。
【請求項３】
焼き網上に調理プレートを設置し、該調理プレートに被加熱物を載置して自動調理を実行する自動調理メニューにおいて、自動調理の全工程の一部に上バーナを停止させて下バーナのみを燃焼させる工程を設けて成ることを特徴とする請求項１又は２記載のグリルを備えた加熱調理器。
【請求項４】
自動調理における上バーナ又は／及び下バーナの加熱時間が所定時間以上である自動調理メニューについては上バーナを停止させて下バーナのみを燃焼させる工程を設けて成ることを特徴とする請求項１又は２記載のグリルを備えた加熱調理器。
【発明の詳細な説明】
【技術分野】
【０００１】
本発明は、グリルを備えた加熱調理器に関するものである。
【背景技術】
【０００２】
従来から、グリルを備えた加熱調理器が普及している。グリルを備えた加熱調理器は、グリル庫内に焼き網を配置し、グリル庫内に設けたガスバーナによって焼き網上に載置した魚等の被加熱物を加熱してなるグリル調理を行うことができるようになっている。そして近年、従来のように手動で加熱量の調節を行いながらグリル調理を行うのではなく、自動でグリル調理を行うものが普及してきている（例えば特許文献１参照）。
【特許文献１】特開２００５−１０２８４７号公報
【発明の開示】
【発明が解決しようとする課題】
【０００３】
従来のグリルを備えた加熱調理器は、グリル庫と、グリル庫内に設けられ被加熱物が載置される焼き網と、グリル庫内の焼き網よりも上方に配設される上バーナと、グリル庫内の焼き網よりも下方に設けられる下バーナと、上バーナ及び下バーナの燃焼状態を制御して自動調理を実行する制御部と、を有するグリルを備えたものである。そして、自動調理においては、加熱開始からのグリル庫内の温度上昇値により適正な加熱時間を決定しているため、グリル庫の予熱なしでグリル調理を開始する必要がある。この自動調理を実行する場合、焼き網に魚などの被加熱物を直接載置してグリル調理を行うように設定されていて、上述したように下バーナと上バーナとを調理終了まで継続して燃焼させることで良好なグリル調理が行える。しかしながら、調理プレートなどの調理補助具を使用するような設定とななっておらず、調理プレート等を使用する場合には、調理プレートの熱容量の影響を受け、上バーナによる加熱量と下バーナによる加熱量が調理プレートなどの調理補助具を使用しない場合と異なり、加熱開始後において初期の下バーナからの熱は調理プレートの温度上昇に消費されてしまうため、下バーナによる加熱が不充分になってしまうものであった。また、下バーナによる加熱を充分に得るため調理時間を長くするような制御を行うと、上バーナによる加熱が過剰となって、被加熱物の上面側が焦げ付いてしまうことがあった。
【０００４】
また、調理プレート等を使用しない場合でも、冷凍食品のように内部までじっくりと加熱する必要がある食材を加熱する場合など、内部を充分に加熱するために調理時間を長くするような制御を行うと、上バーナの加熱により被加熱物の上面側が焦げ付いてしまうことがあり、また、上バーナによる焦げ付きを抑制するために加熱時間を短くするような制御を行うと、内部まで充分に加熱されないこととなってしまうおそれがあった。
【０００５】
上記の場合、上バーナの火力を減少させることにより、上バーナと下バーナの加熱量のバランスを程よいものとすることが考えられるが、この場合、上バーナの最大火力を変更せずに最小火力を低減させることができるような絞り比の実現（すなわち高ターンダウン比の実現）は、多大な技術的困難を伴うため、他の方法によるのが望ましいものであった。
【０００６】
本発明は上記従来の問題点に鑑みて発明したものであって、その目的とするところは、グリル庫内に上バーナと下バーナとを備えて自動調理が可能なグリルにおいて、上バーナに高ターンダウン比のバーナを使用することなく、上バーナの火力を抑えることができるグリルを備えた加熱調理器を提供することを課題とするものである。
【課題を解決するための手段】
【０００７】
上記課題を解決するために請求項１に係る発明は、グリル庫と、グリル庫内に設けられ被加熱物６が載置される焼き網２３と、グリル庫内の焼き網２３よりも上方の位置に配設される上バーナ２１と、グリル庫内の焼き網２３よりも下方の位置に設けられる下バーナ２２と、上バーナ２１及び下バーナ２２の燃焼状態を制御して自動調理を実行する制御部４と、を有するグリル２を備えた加熱調理器１であって、制御部４は、自動調理の全工程の一部に上バーナ２１を停止させて下バーナ２２のみを燃焼させる工程を設けた自動調理メニューを実行可能として成ることを特徴とするものである。
【０００８】
このような構成とすることで、簡単な構成で、従来のように、被加熱物６を充分に加熱しようとして上バーナ２１により被加熱物６の上面を焦がしてしまったり、あるいは被加熱物６の上面を焦がさないようにして充分な加熱ができなかったりするのを防止することが可能となる。
【０００９】
また、請求項２に係る発明は、請求項１に係る発明において、上バーナ２１及び下バーナ２２の両方を燃焼させる工程の後に、上バーナ２１を停止させて下バーナ２２のみを燃焼させる工程を設けた自動調理メニューとして成ることを特徴とするものである。
【００１０】
このような構成とすることで、上バーナ２１及び下バーナ２２の両方が燃焼している状態で上バーナ２１を停止させるだけでよいため、制御が容易で確実に行われると共に、点火装置の動作を最小限に抑えることができ、点火装置の耐久性の向上を図ることができる。
【００１１】
また、請求項３に係る発明は、請求項１又は２に係る発明において、焼き網２３上に調理プレートを設置し、該調理プレートに被加熱物６を載置して自動調理を実行する自動調理メニューにおいて、自動調理の全工程の一部に上バーナ２１を停止させて下バーナ２２のみを燃焼させる工程を設けて成ることを特徴とするものである。
【００１２】
焼き網２３上に調理プレートを設置すると下バーナ２２による加熱が調理プレートにより妨げられて、被加熱物６を充分に加熱しようとして上バーナ２１により被加熱物６の上面を焦がしてしまったり、あるいは被加熱物６の上面を焦がさないようにすると充分な加熱ができない、といったことが顕著に生じるが、この点をより一層効果的に解決することができる。
【００１３】
また、請求項４に係る発明は、請求項１又は２に係る発明において、自動調理における上バーナ２１又は／及び下バーナ２２の加熱時間が所定時間以上である自動調理メニューについては上バーナ２１を停止させて下バーナ２２のみを燃焼させる工程を設けて成ることを特徴とするものである。
【００１４】
このような構成とすることで、長時間の加熱により内部を加熱する必要のある被加熱物の場合でも、内部をよく加熱し上面が焦げるといったことを防止することが可能となる。
【発明の効果】
【００１５】
本発明にあっては、上バーナに高ターンダウン比のバーナを使用することなく、簡単な構成により上バーナの火力を抑えて、従来のように、被加熱物を充分に加熱しようとして上バーナにより被加熱物の上面を焦がしてしまったり、あるいは被加熱物の上面を焦がさないようにして充分な加熱ができなかったりするのを防止することが可能となる。
【発明を実施するための最良の形態】
【００１６】
以下、本発明の一実施形態について添付図面に基づいて説明する。
【００１７】
本実施形態のグリルを備えた加熱調理器は、図１及び図５に示すように、こんろ本体１０に、加熱手段としてガスバーナからなるグリルバーナ（上バーナ２１及び下バーナ２２）を備えたグリル２と、加熱手段としてガスバーナからなるこんろバーナを備えたガスこんろ部３と、を備えた、ビルトインタイプのグリル付きガスこんろ１である。
【００１８】
グリル付きガスこんろ１の主体を構成するこんろ本体１０の内部の左右方向の中央部に、グリル２が配設してあり、こんろ本体１０の前面の左右方向の中央部にグリル２のグリル扉２５が配置してある。
【００１９】
こんろ本体１０の上面にはガスこんろ部３が複数配設してあり、添付図面に示す実施形態ではこんろ本体１０の上面に３つのガスこんろ部３が配設してあり、３つのガスこんろ部３は上面の手前側の左側、右側、及び上面の後側の左右方向の中央部にそれぞれ配設してあり、また、こんろ本体１０の上面のガスこんろ部３が配設されていない部分はトッププレート１１により覆われている。ここで、左右に配設したガスこんろ部３は一方がなべ底の温度を検知して燃焼制御を行うようにしたサーミスタからなる温度センサ３ｄを有する標準火力の温度センサ付きガスこんろ部３ａとなっており、左右に配設したガスこんろ部３の他方が高火力ガスこんろ部３ｂとなっている。添付図面に示す実施形態では左側に温度センサ付きガスこんろ部３ａを配設し、右側に高火力ガスこんろ部３ｂを配設した例が示してある。また、後方上面の後側の左右方向の中央部に配設したガスこんろ部３は小火力ガスこんろ部３ｃとなっている。各ガスこんろ部３には、鍋等を受け止め支持するための五徳３１が配設してある。また、各ガスこんろ部３には、図示しないがこんろバーナに点火する点火装置としての点火プラグと、こんろバーナの着火を検出する着火検出装置としての熱電対が設けられ、グリル２にも同様に、グリルバーナに点火する点火装置としての点火プラグと、グリルバーナの着火を検出する着火検出装置としての熱電対が設けられる。点火プラグは、後述する加熱状態調節部７における点火操作によってマイクロコンピュータからなる制御部４（図２参照）により点火動作が行われ、熱電対において検出された着火（点火）情報は制御部４に認識されて、制御部４により点火プラグでの点火処理を終了する。
【００２０】
各こんろバーナ及びグリルバーナには、図２に示すように、都市ガス等のガス燃料を供給する燃料供給路５１からそれぞれ分岐する分岐供給路５３が接続してある。燃料供給路５１には電磁弁５２が設けてあると共に、各分岐供給路５３には、ガス燃料の供給量の調節を行うためステッピングモータにより駆動されて弁体の開度位置の微調整が可能な流量制御弁５４と、前記弁体の開度位置を検出する位置センサ（図示せず）が設けてある。電磁弁５２及び流量制御弁５４は、制御部４により制御が行われ、位置センサにおける検出情報は制御部４によって認識・処理される。また、流量制御弁５４は、対応するこんろバーナ又はグリルバーナが使用されない時には、流量を零にして遮断状態となるように切り換えられる。
【００２１】
グリル２は、前面が開口されかつ後面部が閉塞された略箱状の加熱室を形成するグリル庫を備え、グリル庫内の下部にグリル受皿２４を設けると共に、グリル受皿２４上に、被加熱物６を載置させる載置部としての焼き網２３を載置して、その被加熱物６をグリルバーナにて加熱するように構成されている。グリル庫の後方側には、グリルバーナの燃焼排ガスを機外に排気させる排気通路２９が上方側に延びる状態で連設され、その排気通路２９にてグリルバーナの燃焼排ガスを排気口２６に導くように構成されている。グリル２については後で詳述する。
【００２２】
こんろ本体１０の前面の上部（添付図面に示す実施形態では左側の上部及び右側の上部）にはそれぞれ上記複数のガスこんろ部３の点火、消火、火力調節の操作を行うための加熱状態調節部７が設けてあると共に、前面の上部の右端に、制御部４をはじめ電磁弁５２や流量制御弁５４、入力部や加熱状態調節部７等の電気機器への通電の入切を行う自動復帰型で押し釦式の電源スイッチ１２が設けてある。図１に示す実施形態では前面の左側に温度センサ付きガスこんろ部３ａの点火、消火、火力調節の操作を行うための加熱状態調節部７ａを配設し、前面の右側に高火力ガスこんろ部３ｂの点火、消火、火力調節の操作を行うための加熱状態調節部７ｂと、小火力ガスこんろ部３ｃの点火、消火、火力調節の操作を行うための加熱状態調節部７ｃとを配設してある。
【００２３】
上記各加熱状態調節部７は添付図面においては前後方向に移動自在な押釦により構成してあり、ガスこんろ部３の使用に当たっては、押釦よりなる加熱状態調節部７を押し操作して点火操作をすることで、後退していた加熱状態調節部７が前方に突出して器具栓がＯＮとなり、流出するガス燃料にスパーク放電がなされてガスこんろ部３に点火される。この押釦よりなる加熱状態調節部７が前方に突出した状態で加熱状態調節部７を指で摘んで回動操作すると、前記回動角度がロータリーエンコーダにより検出されて制御部４に認識され、前記回動角度に応じた開度位置となるようにステッピングモータにより流量制御弁５４の弁体が駆動されてガス流量が制御されて、ガスこんろ部３の火力調整ができるようになっている。一方、消火にあたっては、前方に突出している加熱状態調節部７を後方に押し操作することで器具栓がＯＦＦとなってガスこんろ部３が消火される。
【００２４】
こんろ本体１０の前面の下部には操作パネルが収納自在に設けてある。添付図面に示す実施形態ではこんろ本体１０の前面の左右の下部にそれぞれ操作パネルが収納自在に設けてある。
【００２５】
こんろ本体１０の前面の左右の下部にそれぞれ収納自在に設けた操作パネルのうち、一方の操作パネルにはグリル２に関する操作を行うためのグリル用調理設定入力部が設けてあってこの操作パネルがグリル側操作パネル９となり、他方の操作パネルには温度センサ付きガスこんろ部３ａによる調理設定の入力を行うためのガスこんろ部用調理設定入力部が設けてあってこの操作パネルがこんろ部側操作パネル８となっている。
【００２６】
図３にはグリル用調理設定入力部一例を示しており、図４にはガスこんろ部用調理設定入力部一例を示している。
【００２７】
グリル２による調理設定の入力を行うためのグリル用調理設定入力部は図３に示すように、グリル２の点火・消火操作をするための点火・消火スイッチ９１、グリル２による調理時間（焼成時間）を設定するためのタイマスイッチ９２、上火、下火の火力を切換るための火力切替スイッチ９３、焼成するメニューを選んで該当する焼成物に対応した焼成制御を選択するためのメニュースイッチ９４、アラカルトメニュー（後述）を選んで該当するアラカルトメニューに対応した焼成制御を選択するためのアラカルトメニュースイッチ９５、上記タイマスイッチ９２、火力切替スイッチ９３、メニュースイッチ９４、アラカルトメニュースイッチ９５等を操作して設定した各入力を取り消すための取消しスイッチ９６等を備えている。
【００２８】
一方、温度センサ付きガスこんろ部３ａによる調理設定の入力を行うためのガスこんろ部用調理設定入力部は図４に示すように、温度センサ付きガスこんろ部３ａによる調理時間を設定するためのタイマスイッチ８１、揚げ物、炊飯、湯沸し等の自動調理のメニューを設定するためのメニュースイッチ８２、タイマスイッチ８１やメニュースイッチ８２を操作して設定した各入力を取り消すための取消しスイッチ８３等を備えている。図４の実施形態ではメニュースイッチ８２として揚げ物スイッチ８２ａ、炊飯スイッチ８２ｂ、湯沸しスイッチ８２ｃが設けてある。そして、揚げ物スイッチ８２ａを押すことで揚げものを自動調理で行う揚げ物モードとすることができ、揚げ物スイッチ８２ａを何回押すかで２００℃、１８０℃、１６０℃といった複数種類の揚げ物の調理の中から目的とする温度の揚げ物調理が設定できるようにしてある。また、炊飯スイッチ８２ｂを押すことで炊飯を自動調理で行う炊飯モードとすることができ、炊飯スイッチ８２ｂを何回押すかでご飯、おかゆといった複数種類の炊飯の調理の中から目的とする炊飯の調理が設定できるようにしてある。また、湯沸しスイッチ８２ｃを押すことで湯沸しを自動調理で行う湯沸しモードとすることができ、湯沸しスイッチ８２ｃを何回押すかで自動消火、５分保温といった湯沸し後にすぐ消火するか、あるいは一定時間保温するかといった湯沸しを選択して設定できるようにしてある。これらのガスこんろ部用調理設定入力部において温度センサ付きガスこんろ部３ａにおける調理設定の入力が行われると、制御部４によりあらかじめ設定された制御内容に基づいて温度センサ付きガスこんろ部３ａにおける火力調整、調理時間等が制御されるものであり、この場合、なべ底温度を温度センサ付きガスこんろ部３ａに設けた温度センサにより検出して、該温度センサ３ｄで検出したなべ底温度を制御部４に入力してフィードバック制御により火力調整を行うようになっている。
【００２９】
ここで、温度センサ付きガスこんろ部３ａで自動調理の設定を行う場合は、上記のように押釦よりなる加熱状態調節部７を指で押して加熱状態調節部７を前方に突出させる点火操作を行った後、操作パネルに設けたガスこんろ部用調理設定入力部で目的とする調理設定の入力を行うことで、温度センサ付きガスこんろ部３ａによって目的とする調理がなされるように制御部４により火力調整、調理時間等が制御されて自動調理が行われるものである。
【００３０】
このように、ガスこんろ部３の使用に当たっては、手動により加熱を行う場合には、こんろ本体１０の前面に露出している加熱状態調節部７を直接指で操作して制御部４に指令を与えて点火、火力調整、消火を行うと共に、自動調理を行う場合には、加熱状態調節部７の回動操作位置によらずに制御部４によりガス流量及び火力が調整されるものである。
【００３１】
また、自動調理の終了や、タイマ機能や、安全装置により異常が検知されることで、自動消火される場合があり、この場合には点火・消火操作部は器具栓をＯＮとする状態であっても安全弁により燃料ガスが遮断されて消火される。
【００３２】
なお、本実施例では各ガスこんろ部３の分岐供給路５３にステッピングモータにより駆動される流量制御弁５４を設け、加熱状態調節部７を操作することで制御部４を介して電動により火力調整を行っているが、手動により直接弁体を操作する手動式ガス流量調節弁を設けてもよい。この場合、前記手動式ガス流量調節弁と直列にガス流量を制限するための電磁弁５２を設けることで自動調理が可能となるが、自動調理を行う場合には使用者が手動で前記手動式ガス流量調節弁を最大ガス流量位置に調節することで、より確実な自動調理が行われるものである。本実施例では、ステッピングモータにより駆動される流量制御弁５４のみが設けてあり、自動調理を行う際には前記流量制御弁５４を最小から最大の範囲内で任意のガス流量に制御するため、使用者が加熱状態調節部７を操作して手動で加熱を行う際の最大ガス流量に合わせるといった操作が不要である。
【００３３】
次に、グリル２を使用する場合につき説明する。グリル用調理設定入力部を有する操作パネルを備えた可動部材の前面上部を押してグリル用調理設定入力部を有する操作パネルをこんろ本体１０の前面から前方に突出して図１に示すように上方に露出させ、上方を向いているグリル用調理設定入力部のメニュースイッチ９４やアラカルトメニュースイッチ９５やタイマスイッチ９２を指で押すことで調理メニューやアラカルトメニューや調理時間等のグリル調理の設定入力を行い、次に、点火・消火スイッチ９１を指で押して点火入力操作を行ってグリル２に点火するものである。これによって目的とするグリル調理がなされるように制御部４により火力調整、調理時間等が制御されて自動調理が行われるものである。上記調理設定の入力が終わると、当該可動部材の前面上部を押して操作パネルが外部に露出しないように収納するものであり、これによりグリル２による調理中に操作パネルが汚れるのを防止できる。なお、上記グリル２における自動調理中に自動調理を中止したい場合には点火・消火スイッチ９１を指で押すことで消火して自動調理を中止できる。
【００３４】
メニュースイッチ９４により切り替えられるメニューとしては、「姿焼」「切身」「干物」があり、アラカルトメニュースイッチ９５としては、「トースト」「ピザ」「焼きおにぎりあたため」の３種類から選択できるようになっている。また、アラカルトメニューの内から、「トースト」または「ピザ」を選択したときは付属品の金属製の調理プレート（図示せず）を焼き網２３の上に設置し、この調理プレートの上に食パンやピザ等の被加熱物６を載置して調理を行う旨、取扱説明書で推奨しており、使用者はこれに従い必要に応じて付属品の調理プレートを用い、アラカルトメニュースイッチ９５を操作してアラカルトメニュー調理を行うもので、後述する。
【００３５】
グリル２は、図５に示すように、被加熱物６を加熱するための略箱状をしたグリル庫内に加熱手段としてのグリルバーナを設けて主体が構成され、グリル庫の後面を開口して上下方向に沿う排気用開口２８が形成されている。グリルバーナは、グリル庫の上面に上バーナ２１を設けると共に、グリル庫の左右の側壁に沿ってグリル受皿２４よりも上方で且つグリル受皿２４に載置された焼き網２３の網部よりも下方の位置に下バーナ２２を設けて構成してある。そして、このグリル庫の後部に、グリルバーナの燃焼により被加熱物６を加熱したときに発生する煙やグリルバーナから発生する燃焼ガス等を含む調理排気を排気口２６から排気させるための排気筒２７が接続されており、この排気筒２７内が排気通路２９となっている。排気通路２９は、グリル庫の後端部の排気用開口２８からトッププレート１１の排気口２６に至るように後方へ行く程上方に位置する傾斜を有しており、調理排気は温度上昇による自然ドラフトによって排気通路２９内を通って排気口２６より外部に排出される。また、グリル庫内には二つの温度センサ（サーミスタ）ＴＨ１、ＴＨ２が設けてある。
【００３６】
以下、本発明の調理メニューについて説明する。本発明では、グリル２の自動調理を実行する過程で、全工程の一部に必要に応じ上バーナ２１の燃焼を停止し下バーナ２２だけの燃焼を行う工程を設けたもので、一実施形態について、図６乃至図８に示すフローチャートに基づいて説明する。
（１−１）まず、アラカルトメニューで「トースト」の自動調理メニューを実行する場合について図６に基づいて説明する。
【００３７】
「トースト」を実行する場合、この加熱調理器の付属品である金属製の調理プレート（以下、単に「調理プレート」という）を焼き網２３の上に設置し、この調理プレートの上に食パン等の被加熱物６を載置して調理を行うように設計されており、調理プレートを焼き網２３上に載置する旨が取扱説明書に記載されている。トーストの場合、焼き網２３の上に直接パンを載置すると、焼き網２３には魚の臭い成分が付着していてその臭い成分がパンに付着する惧れがあるため、このように調理プレートを設置するもので、後述するピザの場合も同様である。
【００３８】
ステップ１において（以下（Ｓ１）と記載し、ステップ２以降も同様とする）、アラカルトメニューから「トースト」を選択して設定し、グリル点火操作を行うと（Ｓ２）、制御部４はグリル火力調節用のステッピングモータを駆動し、火力を上バーナ２１を弱、下バーナ２２を強に設定して（Ｓ３）、加熱が開始される。
【００３９】
次に、アラカルトメニューに応じた所定の火力切替時間（本実施例の「トースト」の場合は２００秒）が経過したか否かの判断が行われ（Ｓ４）、Ｙｅｓの場合は、制御部４は火力を上バーナ２１を切、下バーナ２２を強に設定する（Ｓ６）。Ｎｏの場合は上バーナ２１を弱、下バーナ２２を強とした状態を継続し、（Ｓ５）に移行する。
【００４０】
次に、グリル庫内温度が、アラカルトメニューに応じた所定の火力切替温度（本実施例の「トースト」の場合は加熱開始時の温度＋２０℃）に到達したか否かの判断が行われ（Ｓ５）、Ｙｅｓの場合は、制御部４は火力を上バーナ２１を切、下バーナ２２を強に設定する（Ｓ６）。Ｎｏの場合は上バーナ２１を弱、下バーナ２２を強とした状態を継続し、アラカルトメニューに応じた所定の火力切替時間が経過したか否かの（Ｓ４）の判断ルーチンに戻る。
【００４１】
次に、（Ｓ６）で制御部４が火力を上バーナ２１を切、下バーナ２２を強に設定した後も加熱を継続し、アラカルトメニューに応じた所定の加熱時間（消火時間であって、本実施例の「トースト」の場合は２６０秒）が経過したか否かの判断が行われ（Ｓ７）、Ｙｅｓの場合は上バーナ２１及び下バーナ２２を消火し調理を終了する（Ｓ９）。Ｎｏの場合は上バーナ２１を切、下バーナ２２を強として燃焼を継続し、（Ｓ８）に移行する。
【００４２】
次に、グリル庫内温度が、アラカルトメニューに応じた所定の消火温度（本実施例の「トースト」の場合は加熱開始時の温度＋３２℃）に到達したか否かの判断が行われ（Ｓ８）、Ｙｅｓの場合は上バーナ２１及び下バーナ２２を消火し調理を終了する（Ｓ９）。Ｎｏの場合は上バーナ２１を切、下バーナ２２を強として燃焼を継続し、アラカルトメニューに応じた所定の加熱時間（消火時間）を経過したか否かの（Ｓ７）の判断ルーチンに戻る。
【００４３】
本実施例においては、「トースト」の自動調理の全工程の一部に上バーナ２１を停止させて下バーナ２２のみを燃焼させる工程を設けたことで、被加熱物６を充分に加熱しようとして上バーナ２１により被加熱物６の上面を焦がしてしまったり、あるいは被加熱物６の上面を焦がさないようにして充分な加熱ができなかったりするのを防止することが可能となる。また、高ターンダウン比の上バーナを用いることなく簡単な構成により前記効果を得ることができる。
【００４４】
特に、本実施例のように焼き網２３上に調理プレートを設置すると下バーナ２２による加熱が調理プレートにより妨げられて、被加熱物６を充分に加熱しようとして上バーナ２１により被加熱物６の上面を焦がしてしまったり、あるいは被加熱物６の上面を焦がさないようにすると充分な加熱ができない、といったことが顕著に生じる問題があるが、このように調理プレートを載置して実行する自動調理メニュー（本実施例では「トースト」）において上バーナ２１を停止させて下バーナ２２のみを燃焼させる工程を設けたことで、より一層効果的に前記問題を解決することができる。
【００４５】
また、本実施例では、上バーナ２１及び下バーナ２２の両方を燃焼させる工程（Ｓ３）の後に、上バーナ２１を停止させて下バーナ２２のみを燃焼させる工程（Ｓ６）を設けたことで、上バーナ２１及び下バーナ２２の両方が燃焼している状態で上バーナ２１を停止させるだけでよく、制御が容易で確実に行われると共に、点火装置の動作を最小限に抑えることができる。すなわち、仮に、上バーナ２１を停止させて下バーナ２２のみを燃焼させる工程の後に、上バーナ２１及び下バーナ２２の両方を燃焼させる工程を設けると、下バーナ２２の燃焼中に上バーナ２１を点火することとなるが、下バーナ２２の燃焼ドラフトの影響により上バーナ２１の点火が困難となり、これを回避しようとすると、一旦下バーナ２２を消火してから上バーナ２１及び下バーナ２２を点火することとなって、下バーナ２２の消火及び点火の動作が余分に必要となり、制御が複雑化すると共に点火装置の作動回数が多くなってしまう。これに対し、本実施例では、上バーナ２１及び下バーナ２２の両方が燃焼している状態で上バーナ２１を停止させるだけでよく、制御が容易で確実に行われると共に、点火装置の動作を最小限に抑えることができて、耐久性の向上を図ることが可能となる。
（１−２）アラカルトメニューで「ピザ」の自動調理メニューを実行する場合について図７に基づいて説明する。
【００４６】
「ピザ」を実行する場合も上記「トースト」の場合と同様に、この加熱調理器の付属品である調理プレートを焼き網２３の上に設置し、この調理プレートの上にピザ等の被加熱物６を載置して調理を行うように設計されており、調理プレートを焼き網２３上に載置する旨が取扱説明書に記載されている。
【００４７】
アラカルトメニューから「ピザ」を選択して設定し（Ｓ１）、グリル点火操作を行うと（Ｓ２）、制御部４はグリル火力調節用のステッピングモータを駆動し、火力を上バーナ２１を弱、下バーナ２２を強に設定して（Ｓ３）、加熱が開始される。
【００４８】
次に、アラカルトメニューに応じた所定の消火時間（本実施例の「ピザ」の場合は４５０秒）が経過したか否かの判断が行われ（Ｓ４）、Ｙｅｓの場合は上バーナ２１及び下バーナ２２を消火し調理を終了する（Ｓ６）。Ｎｏの場合は上バーナ２１を弱、下バーナ２２を強とした状態を継続し、（Ｓ５）に移行する。
【００４９】
次に、グリル庫内温度が、アラカルトメニューに応じた所定の消火温度（本実施例の「ピザ」の場合は加熱開始時の温度＋４５℃）に到達したか否かの判断が行われ（Ｓ５）、Ｙｅｓの場合は上バーナ２１及び下バーナ２２を消火し調理を終了する（Ｓ６）。Ｎｏの場合は上バーナ２１を弱、下バーナ２２を強とした状態を継続し、アラカルトメニューに応じた所定の加熱時間（消火時間）を経過したか否かの（Ｓ４）の判断ルーチンに戻る。
【００５０】
本実施例の「ピザ」の自動調理の工程では、被加熱物の上面が要する加熱量の比率が高いため、上バーナ２１を停止させて下バーナ２２のみを燃焼させる工程を設ける必要がなく、本実施例は参考例である。
（１−３）アラカルトメニューで「焼きおにぎりあたため」の自動調理メニューを実行する場合について図８に基づいて説明する。
【００５１】
「焼きおにぎりあたため」を実行する場合、この加熱調理器の付属品である調理プレートは使用せず、被加熱物６である冷凍の焼きおにぎりを焼き網２３の上に直接載置して調理を行うように設計されており、調理プレートを使用しない旨が取扱説明書に記載されている。また、被加熱物６に冷凍の焼きおにぎりを想定して設計されている旨も取扱説明書に記載されている。
【００５２】
アラカルトメニューから「焼きおにぎりあたため」を選択して設定し（Ｓ１）、グリル点火操作を行うと（Ｓ２）、制御部４はグリル火力調節用のステッピングモータを駆動し、火力を上バーナ２１を弱、下バーナ２２を強に設定して（Ｓ３）、加熱が開始される。
【００５３】
次に、アラカルトメニューに応じた所定の火力切替時間（本実施例の「焼きおにぎりあたため」の場合は３６０秒）が経過したか否かの判断が行われ（Ｓ４）、Ｙｅｓの場合は、制御部４は火力を上バーナ２１を切、下バーナ２２を強に設定する（Ｓ６）。Ｎｏの場合は上バーナ２１を弱、下バーナ２２を強とした状態を継続し、（Ｓ５）に移行する。
【００５４】
次に、グリル庫内温度が、アラカルトメニューに応じた所定の火力切替温度（本実施例の「焼きおにぎりあたため」の場合は加熱開始時の温度＋４０℃）に到達したか否かの判断が行われ（Ｓ５）、Ｙｅｓの場合は、制御部４は火力を上バーナ２１を切、下バーナ２２を強に設定する（Ｓ６）。Ｎｏの場合は上バーナ２１を弱、下バーナ２２を強とした状態を継続し、アラカルトメニューに応じた所定の火力切替時間が経過したか否かの（Ｓ４）の判断ルーチンに戻る。
【００５５】
次に、（Ｓ６）で制御部４が火力を上バーナ２１を切、下バーナ２２を強に設定した後も加熱を継続し、アラカルトメニューに応じた所定の加熱時間（消火時間であって、本実施例の「焼きおにぎりあたため」の場合は５８０秒）が経過したか否かの判断が行われ（Ｓ７）、Ｙｅｓの場合は上バーナ２１及び下バーナ２２を消火し調理を終了する（Ｓ９）。Ｎｏの場合は上バーナ２１を切、下バーナ２２を強として燃焼を継続し、（Ｓ８）に移行する。
【００５６】
次に、グリル庫内温度が、アラカルトメニューに応じた所定の消火温度（本実施例の「焼きおにぎりあたため」の場合は加熱開始時の温度＋７５℃）に到達したか否かの判断が行われ（Ｓ８）、Ｙｅｓの場合は上バーナ２１及び下バーナ２２を消火し調理を終了する（Ｓ９）。Ｎｏの場合は上バーナ２１を切、下バーナ２２を強として燃焼を継続し、アラカルトメニューに応じた所定の加熱時間（消火時間）を経過したか否かの（Ｓ７）の判断ルーチンに戻る。
【００５７】
本実施例の「焼きおにぎりあたため」においても、自動調理の全工程の一部に上バーナ２１を停止させて下バーナ２２のみを燃焼させる工程を設けたことで、被加熱物６を充分に加熱しようとして上バーナ２１により被加熱物６の上面を焦がしてしまったり、あるいは被加熱物６の上面を焦がさないようにして充分な加熱ができなかったりするのを防止することが可能となり、また、高ターンダウン比の上バーナを用いることなく簡単な構成により前記効果を得ることができる。
【００５８】
また、特に焼き網２３上に調理プレートを設置する点における効果や、上バーナ２１及び下バーナ２２の両方を燃焼させる工程（Ｓ３）の後に、上バーナ２１を停止させて下バーナ２２のみを燃焼させる工程（Ｓ６）を設ける点における効果についても、上実施形態の（１−１）の「トースト」の実施例の場合と同様の効果がそれぞれ得られるものである。
【００５９】
次に、他の実施形態について、図９乃至図１１に示すフローチャートに基づいて説明する。
（２−１）まず、アラカルトメニューで「トースト」の自動調理メニューを実行する場合について図９に基づいて説明する。
【００６０】
「トースト」を実行する場合、第１の実施形態の場合と同様にこの加熱調理器の付属品である調理プレートを焼き網２３の上に設置し、この調理プレートの上に食パン等の被加熱物６を載置して調理を行うように設計されており、調理プレートを焼き網２３上に設置する旨が取扱説明書に記載されている。
【００６１】
アラカルトメニューから「トースト」を選択して設定し（Ｓ１）、グリル点火操作を行い（Ｓ２）、消火時間演算処理（Ｓ２’）に移行する。
【００６２】
消火時間演算処理（Ｓ２’）においては、制御部４はグリル火力調節用のステッピングモータを駆動し、火力を上バーナ２１を強、下バーナ２２を強に設定し、二つの温度センサＴＨ１、ＴＨ２によりグリル庫内温度の測定を行い、時間経過に伴うその温度変化から被加熱物６の熱容量、載置状態を判断し、必要な加熱時間を演算する。このとき、時間経過に伴うその温度変化が緩やかな場合は、温度変化が速い場合に比べ必要な加熱時間が長く設定されるように演算処理される。
【００６３】
消火時間演算処理（Ｓ２’）を終えると、制御部４はグリル火力調節用のステッピングモータを駆動し、火力を上バーナ２１を弱、下バーナ２２を強に設定し（Ｓ３）、加熱を継続する。
【００６４】
次に、アラカルトメニューに応じた所定の火力切替時間（本実施例の「トースト」の場合は２００秒）が経過したか否かの判断が行われ（Ｓ４）、Ｙｅｓの場合は、制御部４は火力を上バーナ２１を切、下バーナ２２を強に設定する（Ｓ６）。Ｎｏの場合は上バーナ２１を弱、下バーナ２２を強とした状態を継続し、（Ｓ５）に移行する。
【００６５】
次に、グリル庫内温度が、アラカルトメニューに応じた所定の火力切替温度（本実施例の「トースト」の場合は加熱開始時の温度＋２０℃）に到達したか否かの判断が行われ（Ｓ５）、Ｙｅｓの場合は、制御部４は火力を上バーナ２１を切、下バーナ２２を強に設定する（Ｓ６）。Ｎｏの場合は上バーナ２１を弱、下バーナ２２を強とした状態を継続し、アラカルトメニューに応じた所定の火力切替時間が経過したか否かの（Ｓ４）の判断ルーチンに戻る。
【００６６】
次に、（Ｓ６）で制御部４が火力を上バーナ２１を切、下バーナ２２を強に設定した後も加熱を継続し、前記消火時間演算処理で設定された加熱時間が経過したか否かの判断が行われ（Ｓ７）、Ｙｅｓの場合は上バーナ２１及び下バーナ２２を消火し調理を終了する（Ｓ９）。Ｎｏの場合は上バーナ２１を切、下バーナ２２を強として燃焼を継続し、（Ｓ８）に移行する。
【００６７】
次に、グリル庫内温度が、アラカルトメニューに応じた所定の消火温度（本実施例の「トースト」の場合は加熱開始時の温度＋３２℃）に到達したか否かの判断が行われ（Ｓ８）、Ｙｅｓの場合は上バーナ２１及び下バーナ２２を消火し調理を終了する（Ｓ９）。Ｎｏの場合は上バーナ２１を切、下バーナ２２を強として燃焼を継続し、消火時間演算処理で設定された加熱時間（消火時間）を経過したか否かの（Ｓ７）の判断ルーチンに戻る。
【００６８】
本実施形態においても、本実施例のように自動調理の全工程の一部に上バーナ２１を停止させて下バーナ２２のみを燃焼させる工程を設けたことで、被加熱物６を充分に加熱しようとして上バーナ２１により被加熱物６の上面を焦がしてしまったり、あるいは被加熱物６の上面を焦がさないようにして充分な加熱ができなかったりするのを防止することが可能となり、また、高ターンダウン比の上バーナを用いることなく簡単な構成により前記効果を得ることができる。
【００６９】
また、特に焼き網２３上に調理プレートを設置する点における効果や、上バーナ２１及び下バーナ２２の両方を燃焼させる工程（Ｓ３）の後に、上バーナ２１を停止させて下バーナ２２のみを燃焼させる工程（Ｓ６）を設ける点における効果についても、上実施形態の（１−１）の「トースト」の実施例の場合と同様の効果がそれぞれ得られるものである。
（２−２）アラカルトメニューで「ピザ」の自動調理メニューを実行する場合について図１０に基づいて説明する。
【００７０】
「ピザ」を実行する場合も、第１の実施形態の場合と同様にこの加熱調理器の付属品である調理プレートを焼き網２３の上に設置し、この調理プレートの上にピザ等の被加熱物６を載置して調理を行うように設計されており、調理プレートを焼き網２３上に設置する旨が取扱説明書に記載されている。
【００７１】
アラカルトメニューから「ピザ」を選択して設定し（Ｓ１）、グリル点火操作を行い（Ｓ２）、消火時間演算処理（Ｓ２’）に移行する。
【００７２】
消火時間演算処理（Ｓ２’）においては、制御部４はグリル火力調節用のステッピングモータを駆動し、火力を上バーナ２１を強、下バーナ２２を強に設定し、二つの温度センサＴＨ１、ＴＨ２によりグリル庫内温度の測定を行い、時間経過に伴うその温度変化から被加熱物６の熱容量、載置状態が判断され、必要な加熱時間を演算する。このとき、時間経過に伴うその温度変化が緩やかな場合は、温度変化が速い場合に比べ必要な加熱時間が長く設定されるように演算処理される。
【００７３】
消火時間演算処理（Ｓ２’）を終えると、制御部４はグリル火力調節用のステッピングモータを駆動し、火力を上バーナ２１を弱、下バーナ２２を強に設定し（Ｓ３）、加熱を継続する。
【００７４】
その後、前記消火時間演算処理で設定された加熱時間が経過したか否かの判断が行われ（Ｓ４）、Ｙｅｓの場合は上バーナ２１及び下バーナ２２を消火し調理を終了する（Ｓ６）。Ｎｏの場合は上バーナ２１を弱、下バーナ２２を強とした状態を継続し、（Ｓ５）に移行する。
【００７５】
次に、グリル庫内温度が、アラカルトメニューに応じた所定の火力切替温度（本実施例の「ピザ」の場合は加熱開始時の温度＋４５℃）に到達したか否かの判断が行われ（Ｓ５）、Ｙｅｓの場合は上バーナ２１及び下バーナ２２を消火し調理を終了する。Ｎｏの場合は上バーナ２１を弱、下バーナ２２を強とした状態を継続し、消火時間演算処理で設定された加熱時間を経過したか否かの（Ｓ４）の判断ルーチンに戻る。
【００７６】
本実施例の「ピザ」の自動調理の工程では、被加熱物の上面が要する加熱量の比率が高いため、上バーナ２１を停止させて下バーナ２２のみを燃焼させる工程を設ける必要がなく、本実施例は参考例である。
（２−３）アラカルトメニューで「焼きおにぎりあたため」の自動調理メニューを実行する場合について図１１に基づいて説明する。
【００７７】
「焼きおにぎりあたため」を実行する場合、第１の実施形態の場合と同様にこの加熱調理器の付属品である調理プレートは使用せず、被加熱物６である冷凍の焼きおにぎりを焼き網２３の上に直接載置して調理を行うように設計されており、調理プレートを使用しない旨が取扱説明書に記載されている。また、被加熱物６に冷凍の焼きおにぎりを想定して設計されている旨も取扱説明書に記載されている。
【００７８】
アラカルトメニューから「焼きおにぎりあたため」を選択して設定し（Ｓ１）、グリル点火操作を行い（Ｓ２）、消火時間演算処理（Ｓ２’）に移行する。
【００７９】
消火時間演算処理（Ｓ２’）においては、制御部４はグリル火力調節用のステッピングモータを駆動し、火力を上バーナ２１を強、下バーナ２２を強に設定し、二つの温度センサＴＨ１、ＴＨ２によりグリル庫内温度の測定を行い、時間経過に伴うその温度変化から被加熱物６の熱容量、載置状態が判断され、必要な加熱時間を演算する。このとき、時間経過に伴うその温度変化が緩やかな場合は、温度変化が速い場合に比べ必要な加熱時間が長く設定されるように演算処理される。
【００８０】
消火時間演算処理（Ｓ２’）を終えると、制御部４はグリル火力調節用のステッピングモータを駆動し、火力を上バーナ２１を弱、下バーナ２２を強に設定し（Ｓ３）、加熱を継続する。
【００８１】
次に、アラカルトメニューに応じた所定の火力切替時間（本実施例の「焼きおにぎりあたため」の場合は３６０秒）が経過したか否かの判断が行われ（Ｓ４）、Ｙｅｓの場合は、制御部４は火力を上バーナ２１を切、下バーナ２２を強に設定する（Ｓ６）。Ｎｏの場合は上バーナ２１を弱、下バーナ２２を強とした状態を継続し、（Ｓ５）に移行する。
【００８２】
次に、グリル庫内温度が、アラカルトメニューに応じた所定の火力切替温度（本実施例の「焼きおにぎりあたため」の場合は加熱開始時の温度＋４０℃）に到達したか否かの判断が行われ（Ｓ５）、Ｙｅｓの場合は、制御部４は火力を上バーナ２１を切、下バーナ２２を強に設定する（Ｓ６）。Ｎｏの場合は上バーナ２１を弱、下バーナ２２を強とした状態を継続し、アラカルトメニューに応じた所定の火力切替時間が経過したか否かの（Ｓ４）の判断ルーチンに戻る。
【００８３】
次に、（Ｓ６）で制御部４が火力を上バーナ２１を切、下バーナ２２を強に設定した後も加熱を継続し、前記消火時間演算処理で設定された加熱時間が経過したか否かの判断が行われ（Ｓ７）、Ｙｅｓの場合は上バーナ２１及び下バーナ２２を消火し調理を終了する（Ｓ９）。Ｎｏの場合は上バーナ２１を切、下バーナ２２を強として燃焼を継続し、（Ｓ８）に移行する。
【００８４】
次に、グリル庫内温度が、アラカルトメニューに応じた所定の消火温度（本実施例の「焼きおにぎりあたため」の場合は加熱開始時の温度＋７５℃）に到達したか否かの判断が行われ（Ｓ８）、Ｙｅｓの場合は上バーナ２１及び下バーナ２２を消火し調理を終了する（Ｓ９）。Ｎｏの場合は上バーナ２１を切、下バーナ２２を強として燃焼を継続し、前記消火時間演算処理で設定された加熱時間（消火時間）を経過したか否かの（Ｓ７）の判断ルーチンに戻る。
【００８５】
本実施例においても、自動調理の全工程の一部に上バーナ２１を停止させて下バーナ２２のみを燃焼させる工程を設けたことで、被加熱物６を充分に加熱しようとして上バーナ２１により被加熱物６の上面を焦がしてしまったり、あるいは被加熱物６の上面を焦がさないようにして充分な加熱ができなかったりするのを防止することが可能となり、また、高ターンダウン比の上バーナを用いることなく簡単な構成により前記効果を得ることができる。
【００８６】
また、特に焼き網２３上に調理プレートを設置する点における効果や、上バーナ２１及び下バーナ２２の両方を燃焼させる工程（Ｓ３）の後に、上バーナ２１を停止させて下バーナ２２のみを燃焼させる工程（Ｓ６）を設ける点における効果についても、上実施形態の（１−１）の「トースト」の実施例の場合と同様の効果がそれぞれ得られるものである。
【００８７】
また、更に他の実施形態として、図示はしないが、自動調理の全工程の一部に上バーナ２１を停止させて下バーナ２２のみを燃焼させる工程を設けるにあたり、上バーナ２１を停止させて下バーナ２２のみを燃焼させる工程の後に、上バーナ２１及び下バーナ２２の両方を燃焼させる工程を設けてもよい。この場合、上述したように点火装置の作動回数が多くなってしまう欠点があるが、十分に耐久性のある部品を使用すれば使用上は全く問題なく、これにより制御における自由度が増加するという利点が得られる。
【００８８】
また、更に他の実施形態として、自動調理における上バーナ２１又は／及び下バーナ２２の加熱時間が所定時間以上である自動調理メニューについては上バーナ２１を停止させて下バーナ２２のみを燃焼させる工程を設けるようにしてもよい。
【００８９】
これは、メニュースイッチ９４において設定可能な「姿焼」「切身」「干物」等のメニューにおいて、二つの温度センサＴＨ１、ＴＨ２によりグリル庫内温度の測定を行い、時間経過に伴うその温度変化から被加熱物６の熱容量、載置状態を判断し、必要な加熱時間を演算するような場合、演算により得られた上バーナ２１又は／及び下バーナ２２の加熱時間が所定の加熱時間以上となった場合に自動的に上バーナ２１を停止させて下バーナ２２のみを燃焼させる工程を設けるものである。
【００９０】
また、上述していないその他のじっくりと加熱する必要のある焼き豚やローストビーフや冷凍食品の温め等のメニューにおいても、上バーナ２１又は／及び下バーナ２２の加熱時間が所定の加熱時間以上である場合に自動的に上バーナ２１を停止させて下バーナ２２のみを燃焼させるようにしてもよい。
【００９１】
このようにすることで、長時間の加熱により内部を加熱する必要のある被加熱物の場合でも、内部をよく加熱し上面が焦げるといったことを防止することが可能となる。
【００９２】
なお、上述した実施形態においては、ビルトインタイプの加熱調理器として説明しているが、テーブル載置型の加熱調理器であってもよい。
【図面の簡単な説明】
【００９３】
【図１】本発明の一実施形態のグリルを備えた加熱調理器の外観斜視図である。
【図２】同上の燃料供給路を説明する説明図である。
【図３】同上のグリル側操作パネルの正面図である。
【図４】同上のガスこんろ部側操作パネルの正面図である。
【図５】同上のグリルの縦断側面図である。
【図６】一実施形態における「トースト」の自動調理のフローチャートである。
【図７】同上の実施形態における「ピザ」の自動調理のフローチャートである。
【図８】同上の実施形態における「焼きおにぎりあたため」の自動調理のフローチャートである。
【図９】他の実施形態における「トースト」の自動調理のフローチャートである。
【図１０】同上の実施形態における「ピザ」の自動調理のフローチャートである。
【図１１】同上の実施形態における「焼きおにぎりあたため」の自動調理のフローチャートである。
【符号の説明】
【００９４】
１    グリル付きガスこんろ
２    グリル
２０  グリル庫
２１  上バーナ
２２  下バーナ
２４  グリル受皿
２３  焼き網
３    ガスこんろ部
４    制御部
６    被加熱物
７    加熱状態調節部
８    こんろ部側操作パネル
９    グリル側操作パネル
ＴＨ１  温度センサ
ＴＨ２  温度センサ
【図１】
2010022425.tif 000003
【図２】
2010022425.tif 000004
【図３】
2010022425.tif 000005
【図４】
2010022425.tif 000006
【図５】
2010022425.tif 000007
【図６】
2010022425.tif 000008
【図７】
2010022425.tif 000009
【図８】
2010022425.tif 000010
【図９】
2010022425.tif 000011
【図１０】
2010022425.tif 000012
【図１１】
2010022425.tif 000013